(57)【要約】      （修正有）【課題】無線通信ネットワークにおいて制御チャネルに対する干渉を抑圧する技法を提供する。【解決手段】制御チャネルに使用される無線リソースに対する高い干渉が、１つまたは複数の干渉局に干渉を低減するよう求める要求を送ることによって抑圧され得る。各干渉局は無線リソース上の各干渉局の送信電力を低減することができ、これによって制御チャネルが受ける干渉をより低くすることができる。一設計では、ユーザ機器（ＵＥ）は、所望の基地局によって制御チャネルに使用される無線リソースに対する高い干渉を検出できる。ＵＥは干渉基地局に無線リソースに対する干渉を低減するよう求める要求を送ることができ、干渉基地局は無線リソース上のこの干渉基地局の送信電力を低減することができる。ＵＥは、所望の基地局から無線リソース上で制御チャネルを受信することができ、ＵＥが干渉基地局から受ける干渉はより低くなり得る。【選択図】図４
2014099892.tif 000002
【特許請求の範囲】
【請求項１】
所望の局によって制御チャネルに使用される無線リソースに対する干渉を低減するよう求める要求を生成することと、
前記要求を干渉局に送ることと、
前記所望の局から前記無線リソース上で前記制御チャネルを受信することと、
を備える無線通信の方法。
【請求項２】
前記所望の局によって前記制御チャネルに使用される前記無線リソースに対する高い干渉を検出すること
をさらに備え、
前記要求は、前記無線リソースに対する高い干渉を検出したことに応答して送られる、請求項１に記載の方法。
【請求項３】
前記所望の局によって前記制御チャネルに使用される前記無線リソースに対する高い干渉を生じさせる前記干渉局を識別すること
をさらに備え、
前記要求は前記干渉局にユニキャストメッセージとして送られる、請求項１に記載の方法。
【請求項４】
前記要求は、前記干渉局および前記要求の受信範囲内の他の干渉局にブロードキャストメッセージとして送られる、請求項１に記載の方法。
【請求項５】
前記干渉局によって送られる低繰返しパイロット（ＬＲＰ）または同期信号に基づいて前記干渉局を検出することをさらに備える、請求項１に記載の方法。
【請求項６】
データ送信での干渉抑圧のために前記制御チャネルを介して前記所望の局と通信することをさらに備える、請求項１に記載の方法。
【請求項７】
前記要求はユーザ機器（ＵＥ）によって送られ、前記干渉局は第１の送信電力レベルを有するマクロ基地局であり、前記所望の局は、前記第１の送信電力レベルより低い第２の送信電力レベルを有するピコまたはフェムト基地局である、請求項１に記載の方法。
【請求項８】
前記要求はユーザ機器（ＵＥ）によって送られ、前記干渉局はアクセス制限を有するフェムト基地局であり、前記所望の局はアクセス制限のないピコまたはマクロ基地局である、請求項１に記載の方法。
【請求項９】
前記要求は基地局によって送られ、前記干渉局は、前記基地局によるサービスを受けない第１のユーザ機器（ＵＥ）であり、前記所望の局は、前記基地局によるサービスを受ける第２のＵＥである、請求項１に記載の方法。
【請求項１０】
前記要求を生成することは、前記要求の送信電力レベル、前記制御チャネルに使用される前記無線リソースの目標干渉レベル、前記干渉局の識別情報、前記所望の局の識別情報、前記制御チャネルまたは前記無線リソースを識別する情報、前記要求が有効とされる持続期間、前記要求の優先順位のうちの少なくとも１つを含む前記要求を生成することを備える、請求項１に記載の方法。
【請求項１１】
前記要求を生成することは、
前記要求の巡回冗長検査（ＣＲＣ）を生成することと、
前記要求を受け取る際に誤りを検出するために前記干渉局によって使用される前記ＣＲＣを前記要求に添付することと、
を備える請求項１に記載の方法。
【請求項１２】
前記要求を送ることは、前記干渉局による前記要求の受信を改善するために前記要求を複数回送ることを備える、請求項１に記載の方法。
【請求項１３】
前記要求を複数回送ることは、前記干渉局による前記要求の受信をさらに改善するために毎回より高い送信電力で前記要求を送ることを備える、請求項１２に記載の方法。
【請求項１４】
前記要求を送ることは、前記要求を、レイヤ３シグナリングを介して送ることを備える、請求項１に記載の方法。
【請求項１５】
前記要求はユーザ機器（ＵＥ）によって初期アクセス時に送られ、前記制御チャネルは前記ＵＥのためのアクセス許諾を搬送する、請求項１に記載の方法。
【請求項１６】
前記要求はアイドルモードで動作するユーザ機器（ＵＥ）によって送られ、前記制御チャネルは、無線呼出しチャネルとシステム情報を搬送する報知チャネルの少なくとも１つを備える、請求項１に記載の方法。
【請求項１７】
前記要求は、前記ＵＥによって、ユーザ機器（ＵＥ）のハンドオーバ時または接続モードの動作時に送られる、請求項１に記載の方法。
【請求項１８】
前記干渉局に、前記無線リソースに対する干渉の低減を延長するよう求める第２の要求を送ることをさらに備える、請求項１に記載の方法。
【請求項１９】
所望の局によって制御チャネルに使用される無線リソースに対する干渉を低減するよう求める要求を生成し、前記要求を干渉局に送り、前記所望の局から前記無線リソースで前記制御チャネルを受信するように構成された少なくとも１つのプロセッサを備える、無線通信の装置。
【請求項２０】
前記少なくとも１つのプロセッサは、前記所望の局によって前記制御チャネルに使用される前記無線リソースに対する高い干渉を検出し、前記無線リソースに対する高い干渉を検出したことに応答して前記要求を送るように構成されている、請求項１９に記載の装置。
【請求項２１】
前記少なくとも１つのプロセッサは、データ送信での干渉抑圧のために前記制御チャネルを介して前記所望の局と通信するように構成されている、請求項１９に記載の装置。
【請求項２２】
所望の局によって制御チャネルに使用される無線リソースに対する干渉を低減するよう求める要求を生成する手段と、
前記要求を干渉局に送る手段と、
前記所望の局から前記無線リソース上で前記制御チャネルを受信する手段と、
を備える無線通信の装置。
【請求項２３】
前記所望の局によって前記制御チャネルに使用される前記無線リソースに対する高い干渉を検出する手段をさらに備え、
前記要求は高い干渉を検出したことに応答して送られる、請求項２２に記載の装置。
【請求項２４】
データ送信での干渉抑圧のために前記制御チャネルを介して前記所望の局と通信する手段をさらに備える、請求項２２に記載の装置。
【請求項２５】
少なくとも１台のコンピュータに、所望の局によって制御チャネルに使用される無線リソースに対する干渉を低減するよう求める要求を生成させるコードと、
前記少なくとも１台のコンピュータに、前記要求を干渉局に送らせるコードと、
前記少なくとも１台のコンピュータに、前記所望の局から前記無線リソースで前記制御チャネルを受信させるコードと、
を備えるコンピュータ可読媒体
を備えたコンピュータプログラム製品。
【請求項２６】
送信側局から、所望の局によって制御チャネルに使用される無線リソースに対する干渉を低減するよう求める要求を受け取ることと、
前記所望の局からの前記制御チャネルに対する干渉を低減するために前記無線リソース上の干渉局の送信電力を低減することと、
を備える無線通信の方法。
【請求項２７】
前記送信電力を低減することは、前記無線リソース上の前記干渉局の送信電力をより低いレベルまたはゼロに低減することを備える、請求項２６に記載の方法。
【請求項２８】
前記送信電力を低減することは、
前記要求の送信電力レベルと受信電力レベルに基づいて前記送信側局から前記干渉局までの伝搬損を求めることと、
前記伝搬損と前記無線リソースの目標干渉レベルに基づいて、前記無線リソースでの前記干渉局の送信電力を決定することと、
を備える請求項２６に記載の方法。
【請求項２９】
前記送信電力を低減することは、前記無線リソース上の前記干渉局からの伝送を前記送信側局から離れる方向に向けることを備える、請求項２６に記載の方法。
【請求項３０】
前記送信電力を低減することは、前記無線リソース上の前記干渉局の前記送信電力を、所定の持続期間、前記要求によって指示される持続期間、または前記要求の少なくとも１つのパラメータに基づいて決定される持続期間にわたって低減することを備える、請求項２６に記載の方法。
【請求項３１】
前記所望の局によって前記制御チャネルに使用される前記無線リソースを、ホッピングパターンと前記所望の局の識別情報に基づいて決定することをさらに備える、請求項２６に記載の方法。
【請求項３２】
前記送信側局はユーザ機器（ＵＥ）であり、前記干渉局は第１の送信電力レベルを有するマクロ基地局であり、前記所望の局は、前記第１の送信電力レベルより低い第２の送信電力レベルを有するピコまたはフェムト基地局である、請求項２６に記載の方法。
【請求項３３】
前記送信側局はユーザ機器（ＵＥ）であり、前記干渉局はアクセス制限を有するフェムト基地局であり、前記所望の局はアクセス制限のないピコまたはマクロ基地局である、請求項２６に記載の方法。
【請求項３４】
前記送信側局は基地局であり、前記干渉局は、前記基地局によるサービスを受けない第１のユーザ機器（ＵＥ）であり、前記所望の局は、前記基地局によるサービスを受ける第２のＵＥである、請求項２６に記載の方法。
【請求項３５】
送信側局から、所望の局によって制御チャネルに使用される無線リソースに対する干渉を低減するよう求める要求を受け取り、前記所望の局からの前記制御チャネルに対する干渉を低減するために前記無線リソース上の干渉局の送信電力を低減するように構成された少なくとも１つのプロセッサを備える、無線通信の装置。
【請求項３６】
前記少なくとも１つのプロセッサは、前記要求の送信電力レベルと受信電力レベルに基づいて前記送信側局から前記干渉局までの伝搬損を求め、前記伝搬損と前記無線リソースの目標干渉レベルに基づいて、前記無線リソースでの前記干渉局の送信電力を決定するように構成されている、請求項３５に記載の装置。
【請求項３７】
前記少なくとも１つのプロセッサは、前記無線リソース上の前記干渉局の前記送信電力を、所定の持続期間、前記要求によって指示される持続期間、または前記要求の少なくとも１つのパラメータに基づいて決定される持続期間にわたって低減するように構成されている、請求項３５に記載の装置。
【発明の詳細な説明】
【優先権の主張】
【０００１】
本出願は、どちらも本出願の譲受人に譲渡されており、参照により本明細書に組み込まれる、２００８年２月１日に出願された、「干渉回避（ＩＮＴＥＲＦＥＲＥＮＣＥ  ＡＶＯＩＤＡＮＣＥ）」という名称の米国特許仮出願第６１／０２５６４４号と、２００８年７月１１日に出願された、「制御チャネルに対する干渉の制限（ＬＩＭＩＴＩＮＧ  ＩＮＴＥＲＦＥＲＥＮＣＥ  ＯＮ  ＣＯＮＴＲＯＬ  ＣＨＡＮＮＥＬＳ）」という名称の米国特許仮出願第６１／０８００３９号の優先権を主張するものである。
【技術分野】
【０００２】
本開示は一般に通信に関し、より詳細には、無線通信ネットワークにおける干渉を抑圧する技法に関する。
【背景技術】
【０００３】
音声、映像、パケットデータ、メッセージング、放送などといった様々な通信コンテンツを提供するための無線通信ネットワークが展開されている。これらの無線ネットワークは、利用可能なネットワークリソースを共用することにより多数のユーザをサポートすることのできる多元接続ネットワークとすることができる。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワークなどが含まれる。
【０００４】
無線通信ネットワークは、多数のユーザ機器（ＵＥ）の通信をサポートすることのできる多数の基地局を含み得る。ＵＥは、ダウンリンクおよびアップリンクを介して基地局と通信し得る。ダウンリンク（すなわち順方向リンク）は、基地局からＵＥまでの通信リンクをいい、アップリンク（すなわち逆方向リンク）は、ＵＥから基地局までの通信リンクをいう。
【０００５】
基地局は、ダウンリンク上でＵＥにデータおよび制御チャネルを送信し、アップリンク上でＵＥからデータおよび制御チャネルを受信し得る。ダウンリンク上では、基地局からの送信が、近隣の基地局からの送信に起因する干渉を受ける場合がある。アップリンク上では、ＵＥからの送信が、近隣の基地局と通信する他のＵＥからの送信に起因する干渉を受ける場合がある。ダウンリンクでもアップリンクでも、干渉基地局および干渉ＵＥによる干渉が性能を低下させる場合がある
したがって当分野では、無線ネットワークにおける干渉を抑圧する技法が求められている。
【発明の概要】
【０００６】
本明細書では、無線通信ネットワークにおいて制御チャネルに対する干渉を抑圧する技法を示す。一態様では、制御チャネルに使用される無線リソース（時間・周波数リソースなど）に対する高い干渉が、１つまたは複数の干渉局に干渉を低減するよう求める要求を送ることによって軽減され得る。各干渉局は無線リソース上の各干渉局の送信電力を低減し、これによって制御チャネルが受ける干渉をより低くすることができる。
【０００７】
ダウンリンク上の干渉抑圧の一設計では、ＵＥが、所望の基地局によって制御チャネルに使用される無線リソースに対する高い干渉を検出できる。ＵＥは、制御チャネルに使用される無線リソースに対する干渉を低減するよう求める要求を生成でき、この要求を干渉基地局に送ることができ、干渉基地局は、無線リソース上の干渉基地局の送信電力を低減することができる。ＵＥは、所望の基地局から無線リソース上で制御チャネルを受信でき、ＵＥが干渉基地局から受ける干渉がより低くなることを観察できる。
【０００８】
アップリンク上の干渉抑圧も、以下で説明するように、同様に行うことができる。また以下では、本開示の様々な態様および特徴もさらに詳細に説明する。
【図面の簡単な説明】
【０００９】
【図１】無線通信ネットワークを示す図である。
【図２Ａ】トランスポートチャネルと物理チャネルの例を示す図である。
【図２Ｂ】トランスポートチャネルと物理チャネルの例を示す図である。
【図３】データおよび制御チャネルの伝送の例を示す図である。
【図４】干渉抑圧を用いた制御チャネル受信を示す図である。
【図５】干渉低減要求を送るプロセスを示す図である。
【図６】干渉低減要求を送る装置を示す図である。
【図７】干渉低減要求を受け取るプロセスを示す図である。
【図８】干渉低減要求を受け取る装置を示す図である。
【図９】基地局とＵＥを示すブロック図である。
【詳細な説明】
【００１０】
本明細書で示す技法は、ＣＤＭＡ、ＴＤＭＡ、ＦＤＭＡ、ＯＦＤＭＡ、ＳＣ−ＦＤＭＡ、他のネットワークといった様々な無線通信ネットワークに使用され得る。「ネットワーク」および「システム」という用語は、多くの場合、同義で使用される。ＣＤＭＡネットワークは、ユニバーサル地上無線アクセス（ＵＴＲＡ）、ｃｄｍａ２０００などといった無線技術を実施し得る。ＵＴＲＡは、広帯域ＣＤＭＡ（ＷＣＤＭＡ（登録商標））および他のＣＤＭＡの変形例を含む。ｃｄｍａ２０００は、ＩＳ−２０００、ＩＳ−９５およびＩＳ−８５６の各規格をカバーする。ＴＤＭＡネットワークは、移動体通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ）（ＧＳＭ（登録商標））といった無線技術を実施し得る。ＯＦＤＭＡネットワークは、進化型ＵＴＲＡ（Ｅ−ＵＴＲＡ）、ウルトラ・モバイル・ブロードバンド、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などといった無線技術を実施し得る。ＵＴＲＡおよびＥ−ＵＴＲＡは、ユニバーサル移動体通信システム（ＵＭＴＳ）の一部である。３ＧＰＰロング・ターム・エボリューション（ＬＴＥ）は、近々に公開されるＥ−ＵＴＲＡを使用するＵＭＴＳのリリースであり、ダウンリンク上ではＯＦＤＭＡを、アップリンク上ではＳＣ−ＦＤＭＡを用いる。ＵＴＲＡ、Ｅ−ＵＴＲＡ、ＵＭＴＳ、ＬＴＥおよびＧＳＭは、「第３世代パートナーシッププロジェクト」（３ＧＰＰ）という名称の団体による文書に記載されている。ｃｄｍａ２０００およびＵＭＢは、「第３世代パートナーシッププロジェクト２」（３ＧＰＰ２）という名称の団体による文書に記載されている。本明細書に示す技法は、前述の無線ネットワークおよび無線技術にも、他の無線ネットワークおよび無線技術にも使用され得る。明確にするために、以下でこれらの技法のいくつかの態様をＬＴＥについて説明し、以下の説明の多くではＬＴＥの用語を使用する。
【００１１】
図１に、ＬＴＥネットワークまたは他の何らかのネットワークとすることのできる無線通信ネットワーク１００を示す。無線ネットワーク１００は、いくつかの進化型ノードＢ（ｅＮＢ）１００と、他のネットワークエンティティを含むことができる。ｅＮＢは、ＵＥと通信する局とすることができ、基地局、ノードＢ、アクセスポイントなどと呼ばれてもよい。各ｅＮＢは、特定の地理的領域のための通信カバレージを提供することができる。「セル（ｃｅｌｌ）」という用語は、この用語が使用される文脈に応じて、ｅＮＢのカバレージエリアおよび／またはこのカバレージエリアにサービスするｅＮＢサブシステムを指すことができる。
【００１２】
ｅＮＢは、マクロセル、ピコセル、フェムトセルおよび／または他の種のセルのための通信範囲（communication coverage）を提供することができる。マクロセルは、比較的大きい地理的領域（半径数キロメートルなど）をカバーすることができ、サービスに加入しているＵＥによる無制限のアクセスを可能にすることができる。ピコセルは、比較的小さい地理的領域をカバーし、サービスに加入しているＵＥによる無制限のアクセスを可能にすることができる。フェムトセルは、比較的小さい地理的領域（住居など）をカバーすることができ、閉じた加入者グループ（ＣＳＧ）に属するＵＥなど、フェムトセルとの関連付けを有するＵＥによる制限付きアクセスを可能にすることができる。ＣＳＧは、住居内のユーザのＵＥ、ネットワーク事業者が提供する特別なサービスプランに加入しているユーザのＵＥなどを含むことができる。マクロセルのｅＮＢはマクロｅＮＢということもある。ピコセルのｅＮＢはピコｅＮＢということもある。フェムトセルのｅＮＢは、フェムトｅＮＢまたはホームｅＮＢということもある。
【００１３】
また無線ネットワーク１００は、中継局も含むことができる。中継局とは、上流側局からデータおよび／または他の情報の伝送を受け取り、下流側局にデータおよび／または他の情報の伝送を送る局である。上流側局は、ｅＮＢ、別の中継局、またはＵＥとすることができる。下流側局は、ＵＥ、別の中継局、またはｅＮＢとすることができる。
【００１４】
ネットワークコントローラ１３０は、１組のｅＮＢ局に結合でき、これらのｅＮＢの調整および制御を行う。ネットワークコントローラ１３０は、単一のネットワークエンティティとすることもでき、ネットワークエンティティの集合体とすることもできる。ネットワークコントローラ１３０は、バックホール（backhaul）を介してｅＮＢ１１０と通信することができる。またｅＮＢ１１０も、例えば、直接的または間接的に無線もしくは有線のバックホールを介して、相互に通信することができる。
【００１５】
無線ネットワーク１００は、マクロｅＮＢだけを含む同種ネットワークとすることができる。また無線ネットワーク１００は、マクロｅＮＢ、ピコｅＮＢ、ホームｅＮＢ、リレーなどといった様々な種類のｅＮＢを含む異種ネットワークとすることもできる。本明細書に示す技法は、同種ネットワークにも異種ネットワークにも使用され得る。
【００１６】
ＵＥ１２０は、無線ネットワーク１００全体に分散していてもよく、各ＵＥは、固定式でも移動式でもよい。またＵＥは、移動局、端末、アクセス端末、加入者ユニット、局などと呼ぶこともできる。ＵＥは、携帯電話、携帯情報端末（ＰＤＡ）、無線モデム、無線通信機器、ハンドヘルド機器、ラップトップコンピュータ、コードレス電話、無線ローカルループ（ＷＬＬ）局などとすることができる。ＵＥは、マクロｅＮＢ、ピコｅＮＢ、フェムトｅＮＢ、および／または他の種類のｅＮＢと通信することができる。図１において、両矢印の実線は、ＵＥとｅＮＢの間の所望の伝送を示す。両矢印の破線は、ＵＥとｅＮＢの間の干渉伝送を示す。本明細書の説明において、局とは、基地局／ｅＮＢ、ＵＥ、または中継局でもよい。
【００１７】
無線ネットワーク１００は、ダウンリンクとアップリンクのそれぞれについて、直交周波数分割多重化（ＯＦＤＭ）または単一搬送波周波数分割多重化（ＳＣ−ＦＤＭ）を利用することができる。ＯＦＤＭおよびＳＣ−ＦＤＭは、システム帯域幅を、一般に、トーン、ビンなどとも呼ばれる複数（Ｋ）の直交副搬送波に分割する。各副搬送波はデータで変調され得る。一般に、変調記号は、ＯＦＤＭの周波数領域とＳＣ−ＦＤＭの時間領域で送られる。隣接する副搬送波間の間隔は固定されていてもよく、副搬送波の総数（Ｋ）は、システム帯域幅に依存することができる。例えば、Ｋは、１．２５ＭＨｚ、２．５ＭＨｚ、５ＭＨｚ、１０ＭＨｚ、２０ＭＨｚのシステム帯域幅では、それぞれ、１２８、２５６、５１２、１０２４、２０４８とすることができる。
【００１８】
リンクごとに、利用可能な時間周波数リソースはリソースブロックに分割され得る。各リソースブロックは、Ｌ記号期間（ｓｙｍｂｏｌ  ｐｅｒｉｏｄ）内のＳ副搬送波をカバーでき、例えば、ＬＴＥにおける通常のサイクリックプレフィックス（ｃｙｃｌｉｃ  ｐｒｅｆｉｘ）ではＬ＝７記号期間内にＳ＝１２副搬送波となる。利用可能なリソースブロックは、異なるチャネルを送るのに使用できる。
【００１９】
無線ネットワーク１００は、各リンクに１組のトランスポートチャネルと１組の物理チャネルをサポートできる。例えば、ＬＴＥでは、ダウンリンクのトランスポートチャネルは以下のものを含むことができる：
・報知（ｂｒｏａｄｃａｓｔ）チャネル（ＢＣＨ）  −  システム情報を搬送する
・無線呼出し（ｐａｇｉｎｇ）チャネル（ＰＣＨ）  −  ＵＥの無線呼出し（ｐａｇｅｓ）を搬送する
・マルチキャストチャネル（ＭＣＨ）  −  マルチキャスト情報を搬送する
・ダウンリンク共有チャネル（ＤＬ−ＳＣＨ）  −    ＵＥに送られるトラヒックデータを搬送する。
【００２０】
ＬＴＥ内のアップリンクのトランスポートチャネルは以下のものを含むことができる：
・ランダム・アクセス・チャネル（ＲＡＣＨ）  −  ネットワークにアクセスするためにＵＥによって送られるランダム・アクセス・プリアンブルを搬送する
・アップリンク共用チャネル（ＵＬ−ＳＣＨ）  −  ＵＥによって送られるトラヒックデータを搬送する。
【００２１】
ＬＴＥ内のダウンリンクの物理チャネルは以下のものを含むことができる：
・物理報知チャネル（ＰＢＣＨ）  −  ＢＣＨを搬送する
・物理マルチキャストチャネル（ＰＭＣＨ）  −  ＭＣＨを搬送する
・物理ダウンリンク制御チャネル（ＰＤＣＣＨ）  −  ＤＬ−ＳＣＨおよびＰＣＨの制御情報、ならびにアップリンクスケジューリング許諾を搬送する
・物理ダウンリンク共有チャネル（ＰＤＳＣＨ）  −  ＤＬ−ＳＣＨおよびＰＣＨを搬送する。
【００２２】
ＬＴＥ内のアップリンクの物理チャネルは以下のものを含むことができる：
・物理ランダム・アクセス・チャネル（ＰＲＡＣＨ）  −  ＲＡＣＨを搬送する
・物理アップリンク制御チャネル（ＰＵＣＣＨ）  −  ダウンリンク上のデータ伝送についてのスケジューリング要求、ＣＱＩ報告、およびＡＣＫ情報を搬送する
・物理アップリンク共有チャネル（ＰＵＳＣＨ）  −  ＵＬ−ＳＣＨを搬送し、帯域内ＣＱＩおよびＡＣＫ情報も搬送し得る。
【００２３】
図２Ａに、ＬＴＥにおけるダウンリンク物理チャネルへのダウンリンクトランスポートチャネルのマッピングを示す。ＢＣＨはＰＢＣＨにマップされることができ、ＭＣＨはＰＭＣＨにマップされることができ、ＰＣＨおよびＤＬ−ＳＣＨはＰＤＳＣＨにマップされることができる。
【００２４】
図２Ｂに、ＬＴＥにおけるアップリンク物理チャネルへのアップリンクトランスポートチャネルのマッピングを示す。ＲＡＣＨはＰＲＡＣＨにマップされることができ、ＵＬ−ＳＣＨはＰＵＳＣＨにマップされることができる。
【００２５】
ＬＴＥにおいて、ＢＣＨ、ＰＢＣＨ、ＰＣＨ、ＲＡＣＨ、ＰＲＡＣＨ、ＰＤＣＣＨおよびＰＵＣＣＨは、制御チャネルとみなすことができる。ＤＬ−ＳＣＨ、ＰＤＳＣＨ、ＵＬ−ＳＣＨ、ＰＵＳＣＨ、ＭＣＨおよびＰＭＣＨは、データチャネルとみなすことができる。また、ＤＬ−ＳＣＨおよびＰＣＳＣＨは、ランダムアクセス応答を搬送するのにも使用でき、これらのランダムアクセス応答を搬送するときには、制御チャネルとみなすこともできる。
【００２６】
図２Ａおよび図２Ｂには、ダウンリンクとアップリンクに使用され得るいくつかのトランスポートチャネルおよび物理チャネルが示されている。リンクごとに他のトランスポートチャネルおよび物理チャネルも使用され得る。
【００２７】
一般に、無線ネットワーク１００は、ダウンリンクのための１つまたは複数の制御チャネルをサポートでき、アップリンクのための１つまたは複数の制御チャネルをサポートできる。制御チャネルは、トラヒックデータ以外の任意の情報を備え得る制御情報を搬送するチャネルである。制御情報は、スケジューリング情報、システム情報、報知情報（broadcast information）、無線呼出し情報（paging information）などを含むことができる。制御情報は、オーバーヘッド情報、シグナリングなどと呼ばれてもよい。制御チャネルは、物理チャネル（おそらくはＰＤＳＣＨとＰＵＳＣＨを除く上記のダウンリンクとアップリンクの物理チャネルのいずれかなど）、トランスポートチャネル（おそらくはＤＬ−ＳＣＨとＵＬ−ＳＣＨを除く上記のダウンリンクとアップリンクのトランスポートチャネルのいずれかなど）、または他のいずれかの種類のチャネルとすることができる。また制御チャネルは、制御伝送、制御信号などと呼ばれてもよい。
【００２８】
図３に、ダウンリンクとアップリンクでのデータおよび制御チャネルの伝送の例を示す。各局に対して、横軸で時間を表すことができ、縦軸で周波数を表すことができる。リンクごとの伝送タイムラインは、サブフレーム単位に分割されることができる。各サブフレームは、１ミリ秒（ｍｓ）など、所定の持続期間を有することができる。
【００２９】
ｅＮＢは、ダウンリンク上で１つまたは複数の制御チャネルを送信することができる。各制御チャネルは、各制御チャネルに割り振られた無線リソース上で送信することができる。一般に無線リソースは、時間、周波数、符号、送信電力などで定量化され得る。例えば無線リソースは、ＬＴＥではリソースブロックで定量化され得る。各制御チャネルは、サブフレームごとに送信される場合も、いくつかのサブフレームだけで送信される場合もある。また、各制御チャネルは、制御チャネルが送信される各サブフレームの決まった位置において送信される場合もあり、異なるサブフレームの異なる位置で送信される場合もある。図３に示す例では、ｅＮＢは、各サブフレームの決まった位置で制御チャネル＃１を送信し、いくつかのサブフレームの異なる位置で制御チャネル＃２を送信する。各ＵＥおよびおそらくは他のｅＮＢは、このｅＮＢによって送信される制御チャネルごとに使用される無線リソースを知ることができる。またｅＮＢは、制御チャネルに使用されない無線リソース上でトラヒックデータを送信することもできる。
【００３０】
またＵＥも、アップリンク上で１つまたは複数の制御チャネルを送信することができる。各制御チャネルは、サブフレームごとに送信される場合も、いくつかのサブフレームだけで送信される場合もあり、決まった位置で送信される場合も、異なる位置で送信される場合もある。各ｅＮＢおよびおそらくは他のＵＥは、ＵＥによって送信される各制御チャネルに使用される無線リソースを知ることができる。またＵＥは、ＵＥのデータ送信がスケジュールされているときはいつでも、割り当てられた無線リソース上でトラヒックデータを送信することもできる。
【００３１】
無線ネットワーク１００は、マクロｅＮＢ、ピコｅＮＢ、フェムトｅＮＢなど、異なる種類のｅＮＢを含み得る。これらの異なる種類のｅＮＢは、無線ネットワーク１００において、異なる電力レベルで送信を行い、異なるカバレージエリアを有し、干渉に関して異なる影響を及ぼすことができる。例えば、マクロｅＮＢは高い送信電力レベル（例えば２０ワット）を有することができ、ピコｅＮＢおよびフェムトｅＮＢは低い送信電力レベル（例えば１ワット）を有することができる。
【００３２】
ＵＥは、複数のｅＮＢのカバレージ内にある場合もある。これらのｅＮＢの１つがＵＥにサービスするために選択され得る。サービスｅＮＢ（serving eNB）は、ジオメトリ（geometry）、伝搬損（pathloss）などの様々な基準に基づいて選択され得る。ジオメトリは、信号対雑音比（ＳＮＲ）、信号対干渉雑音比（ＳＩＮＲ）、搬送波対干渉波比（Ｃ／Ｉ）などによって定量化され得る。
【００３３】
ＵＥは、ＵＥが１つまたは複数の干渉ｅＮＢから高い干渉を受け、および／または１つまたは複数の近隣のｅＮＢに高い干渉をもたらすことがあるような、支配的干渉のシナリオにおいて動作し得る。高い干渉は、しきい値を超える干渉の観測によって、または他の何らかの基準に基づいて、定量化され得る。支配的干渉のシナリオは、ＵＥによって検出される複数のｅＮＢの中で伝搬損がより低くジオメトリのより低いｅＮＢに接続されているＵＥが原因で、生じ得る。例えば、ＵＥはＸとＹという２つのｅＮＢを検出でき、ｅＮＢＸではｅＮＢＹより低い受信電力を観測できる。とはいえ、ｅＮＢＸの伝搬損がｅＮＢＹの伝搬損より低い場合には、ＵＥはｅＮＢＸに接続する方が望ましいことがある。これは、（ピコｅＮＢとすることのできる）ｅＮＢＸの送信電力が（マクロｅＮＢとすることのできる）ｅＮＢＹと比べてずっと低い場合に該当し得る。ＵＥを伝搬損のより低いｅＮＢＸに接続させることにより、所与のデータ転送速度を達成する際に無線ネットワークに対して生じる干渉がより低くなり得、ネットワーク容量を向上させることができる。
【００３４】
また、支配的干渉のシナリオは、関連付けの制限が原因で生じる場合もある。ＵＥはｅＮＢＹの近くにあることができ、ｅＮＢＹに対して高い受信電力を有することができる。しかしＵＥは、関連付けの制限のためにｅＮＢＹにアクセスすることができないことがあり、より低い受信電力を有する制限のないｅＮＢＸに接続する可能性がある。この場合、ＵＥは、ｅＮＢＹから高い干渉を受け得ると同時に、ｅＮＢＹに対しても高い干渉を生じ得る。
【００３５】
ＵＥは、１つまたは複数の干渉ｅＮＢからの高い干渉の存在下で、所望のｅＮＢから１つまたは複数のダウンリンク制御チャネルを受信しなければならないことがある。またＵＥも、各干渉ｅＮＢにおける１つまたは複数のアップリンク制御チャネルに対して高い干渉を生じさせることがある。
【００３６】
一態様では、制御チャネルに使用される無線リソースに対する高い干渉が、１つまたは複数の干渉局に干渉を低減するよう求める要求を送ることによって、抑圧され得る。各干渉局は無線リソース上の各干渉局の送信電力を低減し、これによって、制御チャネルが受ける干渉をより低くすることができる。ここで、干渉低減要求には、特殊なリソース利用メッセージ（ＲＵＭ）、リソース利用クリア（ｃｌｅａｒｉｎｇ  ｒｅｓｏｕｒｃｅ  ｕｔｉｌｉｚａｔｉｏｎ）メッセージ（ＣＲＵＭ）、制御ブランキング（ｃｏｎｔｒｏｌ  ｂｌａｎｋｉｎｇ）ＲＵＭなどと呼ばれるものもある。
【００３７】
図４に、干渉抑圧を用いた制御チャネル受信の一設計を示す。各局において、横軸で時間を表し、縦軸で送信電力を表すことができる。時刻Ｔ１に、受信側局（例えばＵＥ）は、所望の局（例えば所望のｅＮＢ）によって制御チャネルに使用される無線リソースに対する高い干渉を検出できる。受信側局は、高い干渉が原因で所望の局からの制御チャネルを正しく復号することができないことがある。次いで、時刻Ｔ２に、受信側局は、干渉局（例えば近隣のｅＮＢ）に、制御チャネルに使用される無線リソース上の干渉を低減するよう干渉局に要求する干渉低減要求を、送る。
【００３８】
干渉局は、受信側／送信側局から干渉低減要求を受け取ることができ、時刻Ｔ３に、制御チャネルに使用される無線リソース上のその干渉局の送信電力を低減することができる。受信側局は、時刻Ｔ３に、所望の局から制御チャネルを受信できる。制御チャネルが干渉局から受ける干渉がより低くなり、または干渉がなくなることを観測することができ、制御チャネルは受信側局によって正しく復号されることができる。干渉低減要求は、特定の持続期間にわたって有効とすることができる。この場合、干渉局は、時刻Ｔ４に終了することができる全持続期間にわたり、制御チャネルに使用される無線リソース上のその干渉局の送信電力を低減することができる。干渉局は、時刻Ｔ５から、制御チャネルに使用される無線リソース上で、定格電力レベル（nominal power level）での送信を再開することができる。
【００３９】
一般に、干渉低減要求は、ダウンリンク制御チャネルとアップリンク制御チャネルに対する干渉を低減するのに使用され得る。また干渉低減要求は、１つもしくは複数の特定の制御チャネルまたは所与のリンクのすべての制御チャネルに対する干渉を低減するのにも使用され得る。
【００４０】
ダウンリンク上の干渉抑圧では、ＵＥが、１つまたは複数の干渉ｅＮＢに、所望のｅＮＢからの１つまたは複数のダウンリンク制御チャネルに使用される無線リソースに対する干渉の低減を要求する（例えばユニキャストメッセージまたはブロードキャストメッセージでの）干渉低減要求を送ることができる。各干渉ｅＮＢは、ＵＥが所望のｅＮＢからの（１つまたは複数の）ダウンリンク制御チャネルを受信することができるように、無線リソース上の各干渉ｅＮＢの送信電力を低減することができる。干渉ｅＮＢは、（ｉ）ＵＥが、伝搬損がより低く、ジオメトリがより低い低電力のピコｅＮＢに接続するシナリオでの高電力のマクロｅＮＢ、（ｉｉ）ＵＥがフェムトｅＮＢの近くにあるが、関連付けの制限が原因でこのｅＮＢにアクセスすることができないシナリオでのフェムトｅＮＢ、または（ｉｉｉ）他の何らかのシナリオにおいて干渉を生じるｅＮＢとすることができる。
【００４１】
アップリンク上の干渉抑圧では、ｅＮＢが１つまたは複数の干渉ＵＥに、このｅＮＢの１つまたは複数のアップリンク制御チャネルに使用される無線リソースに対する干渉の低減を要求する（例えばユニキャストメッセージまたはブロードキャストメッセージでの）干渉低減要求を送ることができる。次いで各干渉ＵＥは、ｅＮＢがこのｅＮＢのＵＥからの（１つまたは複数の）アップリンク制御チャネルを受信することができるように、無線リソース上の各干渉ＵＥの送信電力を低減することができる。
【００４２】
一設計では、ダウンリンクとアップリンクの両方で、制御チャネルが複数の制御セグメントに分割され得る。各ｅＮＢにはプライマリ制御セグメントが割り当てられ得る。ＵＥは干渉ｅＮＢに、ダウンリンク上のこのＵＥの所望のｅＮＢのプライマリ制御セグメントに対する干渉を低減するよう要求することができる。所望のｅＮＢは干渉ＵＥに、アップリンク上の所望のｅＮＢのプライマリ制御セグメントに対する干渉を低減するように要求することができる。
【００４３】
干渉低減要求は、様々な動作シナリオに使用され得る。一設計では、干渉低減要求は、初期アクセスに使用され得る。ＵＥは、複数のｅＮＢを、これらのｅＮＢによって送信される低繰返しパイロット（low reuse pilots）／プリアンブル（ＬＲＰ）または他の同期信号などに基づいて、検出することができる。ＬＲＰとは、ダウンリンクに対して高い干渉を受ける遠方のＵＥによってさえも検出され得るように、低い繰返しで、および／または高電力で送られるパイロットである。低い繰返し（Low reuse）とは、（少なくとも一部は）パイロット送信に対して異なるリソースを使用するｅＮＢを参照するもので、これにより、干渉を低減してパイロットＳＮＲを改善し、比較的弱いｅＮＢのパイロットでさえも検出することができる。他の同期信号は、ＬＴＥにおけるプライマリ同期信号とセカンダリ同期信号を備えることができる。ＵＥは、伝搬損が低くジオメトリが低いｅＮＢにアクセスしようとすることができ、このｅＮＢから１つまたは複数のダウンリンク制御チャネル（例えばＰＢＣＨ）を受信する必要が生じ得る。一設計では、ＵＥは干渉ｅＮＢに、所望のｅＮＢからの（１つまたは複数の）ダウンリンク制御チャネルに使用される無線リソースに対する干渉を低減するよう要求する干渉低減要求を送ることができる。一設計では、ＵＥは干渉ｅＮＢに、ＵＥから所望のｅＮＢに送られる１つまたは複数のアップリンク制御チャネル（例えばＰＲＡＣＨ）に使用される無線リソースに対する干渉を低減するよう要求する干渉低減要求を各干渉ｅＮＢのＵＥに送るよう求めることができる。一設計では、ＵＥは、所望のｅＮＢにアクセスするためのランダム・アクセス・プリアンブルを送ることができる。干渉ｅＮＢは、このランダム・アクセス・プリアンブルを検出することができ、この干渉ｅＮＢの干渉ＵＥに、（１つまたは複数の）アップリンク制御チャネルに対する干渉を低減するよう求めることができる。
【００４４】
一設計では、干渉低減要求が、ダウンリンクのＰＤＣＣＨおよびＰＨＩＣＨに対する干渉と、アップリンクのＰＵＣＣＨに対する干渉を低減するのに使用され得る。ＰＤＣＣＨおよびＰＨＩＣＨは、ダウンリンク／アップリンクデータをスケジュールするのに使用され得る。ダウンリンクデータは、ＵＥへのランダムアクセス応答（またはアクセス許諾）と、ダウンリンク・ハンドシェーク・メッセージを備えることができる。アップリンクデータは、アップリンク・ハンドシェーク・メッセージを備えることができる。また干渉は、初期アクセスのための他のダウンリンクおよびアップリンクの制御チャネルについて低減される場合もある。
【００４５】
一設計では、干渉低減要求は、初期アクセスを範囲とする持続期間にわたって有効とされ得る。ＵＥが初期アクセス後で所望のｅＮＢと通信できるように、長期干渉抑圧方式が使用され得る。例えば、所望のｅＮＢと（１つまたは複数の）干渉ｅＮＢの間のバックホール通信などを使用して、接続を確立し、長期干渉抑圧を折衝するのに十分な長さの持続期間にわたって干渉を低減するよう求める干渉低減要求を送ることが、できる。また干渉低減要求は、干渉低減の持続期間を延長させるのにも使用され得る。例えば、長期干渉抑圧のためのバックホール折衝が前の干渉低減要求の有効期限前に完了されない場合、後続の干渉低減要求が送られ得る。
【００４６】
また干渉低減要求は、ハンドオーバイベントおよび接続モードでの動作の間にも使用され得る。ＵＥは干渉ｅＮＢに、所望のｅＮＢからの１つまたは複数のダウンリンク制御チャネルに使用される無線リソースに対する干渉を低減するよう要求する干渉低減要求を送ることができる。所望のｅＮＢは、ハンドオーバ時の目標ｅＮＢまたは接続モードのサービスｅＮＢとすることができる。また干渉ｅＮＢも、そのＵＥに、ＵＥから所望のｅＮＢに送られる１つまたは複数のアップリンク制御チャネルに使用される無線リソースに対する干渉を低減するよう要求する干渉低減要求を、送ることができる。干渉低減要求は、ＵＥが、ハンドオーバまたは接続モード動作のために所望のｅＮＢと通信することを、可能にし得る。例えば、ＵＥは、ハンドオーバ時に目標ｅＮＢにアクセスしようとすることができ、干渉ｅＮＢに、目標ｅＮＢからのアクセス許諾を搬送する制御チャネルに使用される無線リソースに対する干渉を低減するよう求めることができる。干渉ｅＮＢは、ＵＥが目標ｅＮＢからのアクセス許諾を受信することができるように、その送信電力を低減させることができる。
【００４７】
また干渉低減要求は、アイドルモードの動作時にも使用され得る。例えば、ＵＥは、アイドル状態とすることができ、そして、干渉ｅＮＢに、サービスｅＮＢによる無線呼出（pages）しおよびシステム情報の送信に使用される無線リソース上の干渉ｅＮＢの送信電力を低減するよう求める干渉低減要求を、送ることができる。ＵＥは、干渉低減要求を、起動サイクルごと、または数起動サイクルごとに送ることができる。干渉ｅＮＢは、ＵＥがシステム情報を受信し、サービスｅＮＢからの無線呼出しを監視することができるように、無線リソース上の干渉ｅＮＢの送信電力を低減することができる。また干渉低減要求は、他の動作シナリオでも使用され得る。
【００４８】
一設計では、干渉低減要求が、支配的干渉とすることのできる特定のＵＥまたはｅＮＢにユニキャストメッセージとして送られ得る。これは、要求にＵＥ識別情報（ＩＤ）またはセルＩＤを含めることによって実現され得る。特定のＵＥまたはｅＮＢは要求に反応でき、他のすべてのＵＥまたはｅＮＢは要求を無視することができる。
【００４９】
別の設計では、干渉低減要求が、１組のＵＥまたはｅＮＢにマルチキャストメッセージとして送られ得る。これは、要求に、組の個々のＵＥＩＤもしくはセルＩＤ、または組のグループＩＤを含めることによって、実現され得る。組の各ＵＥまたはｅＮＢは要求に反応でき、他のすべてのＵＥまたはｅＮＢは要求を無視することができる。
【００５０】
別の設計では、干渉低減要求が、要求の受信範囲内のすべてのＵＥまたはｅＮＢにブロードキャストメッセージとして送られ得る。要求を受信することのできる各ＵＥまたはｅＮＢは、要求に反応することができる。
【００５１】
干渉低減要求の目的の受信側である干渉局は、様々なやり方で要求に反応することができる。一設計では、干渉局が、要求に従うべきか、それとも要求を却下すべきか判断することができる。この判断は、要求の優先順位、干渉の低減が要求される（１つまたは複数の）制御チャネルの重要度、ネットワーク負荷などといった、様々な要因に基づくものとすることができる。干渉局は、（１つまたは複数の）制御チャネルに使用される無線リソース上の干渉局の送信電力を低減することによって、その要求に従うことができる。干渉局は、無線リソース上の干渉局の送信電力を、（例えば図４に示すような）より低いレベルまで、またはゼロ（すなわち、無線リソース上のブランク送信）まで低減することができる。また干渉局は、無線リソースに対する干渉を低減するようにその送信を空間的に操作することもできる。例えば、干渉局は、高い干渉を受ける送信側局の方向に空間的ヌル（spatial null）を配置するプリコーディングを行うことができる。
【００５２】
一設計では、干渉低減要求が、要求の送信電力レベルと、１つまたは複数の制御チャネルに使用される無線リソースに対する目標干渉レベルを伝達できる。次いで、干渉局は、送信側局が無線リソース上で目標干渉レベルを観測し得るように、その干渉局の送信電力を低減することができる。干渉局は、送信側局までの伝搬損を、（要求によって伝達され得る）要求の送信電力レベルと、（干渉局によって測定され得る）要求の受信電力レベルに基づいて、推定することができる。次いで、干渉局は、無線リソース上のその干渉局の送信電力を、しかるべく低減することができる。干渉局が干渉低減要求を非常に高い電力で受信する場合、この干渉局は送信側局の近くにあり得、したがって支配的干渉となり得る。この場合、干渉局は、無線リソース上の送信電力を大幅に低減することができる。干渉局が要求を低電力で受信する場合には、これの逆が当てはまる。
【００５３】
一設計では、干渉低減要求が、干渉を低減すべき１つまたは複数の特定の制御チャネルを指示することができる。指定の（１つまたは複数の）制御チャネルに使用される無線リソースは、干渉局によって知られていてもよい。別の設計では、干渉低減要求が、干渉を低減すべき特定の無線リソースを指示することができる。次いで、干渉局は、指定の無線リソース上で干渉局の送信電力を低減することができる。さらに別の設計では、干渉低減要求が、１つまたは複数の制御チャネルに使用される無線リソースを決定するのに使用される情報を提供することができる。例えば、所望のｅＮＢが、ホッピング機能（hopping function）とセルＩＤに基づいて決定される異なる無線リソース上で制御チャネルを送ることができる。干渉低減要求は、セルＩＤを提供することができる。干渉ｅＮＢは、要求によって提供されるセルＩＤと既知のホッピング機能に基づいて、制御チャネルに使用される無線リソースを確認可能にすることができる。また、干渉低減要求は、（１つまたは複数の）制御チャネルに使用される無線リソースを決定するのに使用される他の情報も提供することができる。
【００５４】
一設計では、干渉局は、干渉低減要求によって指示される１つまたは複数の制御チャネルに使用される無線リソースだけでその干渉局の送信電力を低減することができる。干渉局は、（１つまたは複数の）制御チャネルに使用されない他の無線リソース上で送信を行うことができる。別の設計では、干渉局は、（１つまたは複数の）制御チャネルに使用される無線リソースの範囲に及ぶ時間間隔の間、その干渉局の送信電力を低減することができる。例えば、（１つまたは複数の）制御チャネルは、Ｌ記号期間内のＳ副搬送波をカバーする無線リソース上で送られ得る。干渉局は、Ｌ記号期間内のすべての副搬送波上でその干渉局の送信電力を低減（例えばブランキング）することができる。干渉局からの干渉は、送信側局の受信機の感度を下げる（ｄｅｓｅｎｓｉｔｉｚｅ、あるいはｄｅｓｅｎｓ）ことがあり得るほど高くなる場合もある。この設計では、受信側の減感（desensitization）を回避し得る。さらに別の設計では、干渉局は、（１つまたは複数の）制御チャネルに使用される無線リソースを含む１つまたは複数のインターレース上でその干渉局の送信電力を低減することができる。各インターレースは、送信タイムラインにおいてＱサブフレームをことごとく含むことができ、ここで、Ｑは、４、６、８、または他の何らかの値とすることができる。一般に、干渉局は、他の考慮事項にもよるが、（１つまたは複数の）制御チャネルに用いられる無線リソースと、おそらくは付加的な無線リソース上で、その干渉局の送信電力を低減することができる。
【００５５】
一設計では、干渉低減要求は、送信側局と干渉局の両方で事前に知られ得る所定の持続期間（１００ｍｓなど）にわたって有効とすることができる。別の設計では、干渉低減要求は、この干渉低減要求が有効とされる持続期間を指示することができる。干渉局は、干渉低減要求に指定の持続期間にわたって従う（honor）ことができ、または異なる持続期間で反抗（counter）することができる。さらに別の設計では、干渉低減要求は、要求の１つまたは複数のパラメータに依存し得る持続期間にわたって有効とすることができる。異なる制御チャネルまたは異なる動作シナリオでの干渉低減要求は、その要求が有効である異なる期間を伴っていてもよい。例えば、無線呼出しチャネルの干渉低減要求は、無線呼出しがＵＥに送られるかもしれない時間量に対して有効とすることができる。アクセス許諾を搬送する制御チャネルの干渉低減要求は、初期アクセスが行われる時間量に対して有効とされ得る。さらに別の設計では、干渉低減要求は、この要求が取り消されるまで無期限に有効とされ得る。
【００５６】
干渉低減要求は、干渉局によるこの要求の確実な受信を保証するようなやり方で送ることができる。一設計では、干渉低減要求は、要求の受信を改善するために複数回繰り返して送ることができる。別の設計では、要求が干渉局に到達できることを確実にするために、干渉低減要求が、電力勾配（ｐｏｗｅｒ  ｒａｍｐｉｎｇ）を伴って徐々に高くなる送信電力で送られるようにすることができる。さらに別の設計では、要求のための巡回冗長検査（ＣＲＣ）が生成されてその要求に添付され得る。干渉局は、ＣＲＣを使用して、要求が正しく受け取られるかどうか判定することができる。ＣＲＣは、誤警報率（ｆａｌｓｅ  ａｌａｒｍ  ｒａｔｅ）を低減することができる。さらに別の設計では、干渉低減要求は、レイヤ３シグナリングを介して送ることができる。ここで、レイヤ３シグナリングは、制御チャネルに使用される無線リソース上の干渉低減を更新するのに特に適するといえる。また干渉低減要求は確実な受信を保証するための他のやり方でも送ることができるが、これが求められるのは、この要求が長期間にわたる送信電力低減のトリガとなり得るからである。
【００５７】
図５に、無線通信ネットワークにおいて干渉低減要求を送るプロセス５００の一設計を示す。プロセス５００は、ＵＥまたは、ｅＮＢ、中継局などの基地局とすることのできる送信側局によって、実行することができる。
【００５８】
送信側局は、所望の局によって制御チャネルに使用される無線リソースに対する高い干渉を検出する（ブロック５１２）。制御チャネルは、ＬＴＥのための前述のチャネルまたは他の無線技術における他のチャネルのいずれかを備えることができる。送信側局は、制御チャネルに使用される無線リソースに対する干渉を低減するよう求める要求を生成でき（ブロック５１４）、この要求を干渉局に送ることができる（ブロック５１６）。一設計では、送信側局は干渉局を識別でき、要求をユニキャストメッセージとしてその干渉局だけに送ることができる。別の設計では、送信側局は、要求を、ブロードキャストメッセージとして、この干渉局にも要求の受信範囲内の他の干渉局にも送ることができる。いずれにしても、送信側局は、所望の局から無線リソース上で制御チャネルを受信することができる（ブロック５１８）。一般に、要求は、１つの制御チャネルにも複数の制御チャネルにも適用され得る。送信側局は、必要に応じて、無線リソースに対する干渉の低減を延長するよう求める第２の要求を送ることができる。
【００５９】
ダウンリンク上の干渉抑圧では、送信側局はＵＥとすることができる。一設計では、干渉局は高送信電力レベルのマクロ基地局とすることができ、所望の局は低送信電力レベルのピコまたはフェムト基地局とすることができる。別の設計では、干渉局はアクセス制限を有するフェムト基地局とすることができ、所望の局はアクセス制限のないピコまたはマクロ基地局とすることができる。ＵＥは、基地局によって送られるＬＲＰまたは同期信号に基づいて干渉基地局を検出することができる。
【００６０】
アップリンク上の干渉抑圧では、送信側局は基地局とすることができ、干渉局はこの基地局によるサービスを受けない第１のＵＥとすることができ、所望の局はこの基地局によるサービスを受ける第２のＵＥとすることができる。また、送信側局、干渉局、および所望の局は、無線ネットワーク内の他の局とすることもできる。
【００６１】
一設計では、送信側局は、要求の送信電力レベル、制御チャネルに使用される無線リソースの目標干渉レベル、干渉局の識別情報、所望の局の識別情報、制御チャネルまたは無線リソースを識別する情報、要求が有効とされる持続期間、要求の優先順位、他の情報、またはこれらの任意の組み合わせを含むように要求を生成することができる。
【００６２】
一設計では、送信側局は、要求のＣＲＣを生成でき、このＣＲＣを要求に添付することができる。ＣＲＣは、干渉局によって、要求を受け取る際の誤りを検出するのに使用され得る。一設計では、送信側局は、要求の確実な受信を保証するようなやり方で（例えば低符号化率で）、要求を一度だけ送ることができる。別の設計では、送信側局は、干渉局による要求の受信を改善するために、要求を複数回送ることができる。送信側局は、さらに受信を改善するために、回を重ねるごとにより高い送信電力で要求を送ることができる。
【００６３】
一設計では、要求は、初期アクセス時にＵＥによって送ることができ、制御チャネルは、ＵＥのためのアクセス許諾を搬送することができる。別の設計では、要求は、アイドルモードで動作するＵＥによって送ることができ、制御チャネルは、無線呼出しチャネル（paging channel）および／または報知チャネル（broadcast channel）を備えることができる。さらに別の設計では、要求は、ＵＥにより、ＵＥのハンドオーバ時または接続モードでの動作時に送られ得る。ＵＥは、データ送信の干渉抑圧のために制御チャネルを介してサービス基地局と通信することができる。また要求は、他の動作シナリオでも送られ得る。
【００６４】
一設計では、ＵＥは、前述のように干渉基地局に要求を送ることができる。別の設計では、ＵＥはそのサービス基地局に要求を送ることができ、サービス基地局はバックホールを介して干渉基地局に要求を送ることができる。干渉基地局は、要求に応答して無線リソースを確保することができ、確保した無線リソースをサービス基地局に送ることができる。ここで、サービス基地局はこの情報をＵＥに転送することができる。さらに別の設計では、サービス基地局と干渉基地局は、ＵＥからのトリガも要求もなしで、ダウンリンクおよび／またはアップリンク無線リソースを確保するために、バックホールを介して通信することができる。
【００６５】
図６に、干渉低減要求を送る装置６００の一設計を示す。装置６００は、所望の局によって制御チャネルに使用される無線リソースに対する高い干渉を検出するモジュール６１２と、制御チャネルに使用される無線リソースに対する干渉を低減するよう求める要求を生成するモジュール６１４と、要求を干渉局に送るモジュール６１６と、所望の局から無線リソース上で制御チャネルを受信するモジュール６１８とを含む。
【００６６】
図７に、無線通信ネットワークにおいて干渉低減要求を受け取るプロセス７００の一設計を示す。プロセス７００は、ＵＥまたは基地局とすることのできる干渉局によって実行できる。干渉局は、送信側局から、所望の局によって制御チャネルに使用される無線リソースに対する干渉を低減するよう求める要求を、受け取ることができる（ブロック７１２）。干渉局は、要求で送られる情報、既知のホッピングパターン（hopping pattern）および所望の局の識別情報などに基づいて、制御チャネルに使用される無線リソースを判定することができる。
【００６７】
干渉局は、所望の局からの制御チャネルに対する干渉を低減するために、無線リソース上のその干渉局の送信電力を低減することができる（ブロック７１４）。ブロック７１４の一設計では、干渉局は、無線リソース上のその干渉局の送信電力を、より低いレベルまたはゼロまで低減することができる。一設計では、干渉局は、要求の送信電力レベルと受信電力レベルに基づいて、送信側局から干渉局までの伝搬損を求めることができる。次いで、干渉局は、伝搬損と無線リソースの目標干渉レベルに基づいて、無線リソースでのその干渉局の送信電力を決定することができる。ブロック７１４の別の設計では、干渉局は、無線リソース上の伝送を、送信側局から離れる方向に向けることができる。あらゆる設計について、干渉局はこの干渉局の送信電力を、所定の持続期間、要求によって指示される持続期間、または、制御チャネル、動作シナリオなど、要求の少なくとも１つのパラメータに基づいて決定される持続期間にわたって、低減することができる。
【００６８】
ダウンリンク上の干渉抑圧では、送信側局はＵＥとすることができる。一設計では、干渉局は高い送信電力レベルを有するマクロ基地局とすることができ、所望の局は低い送信電力レベルを有するピコまたはフェムト基地局とすることができる。別の設計では、干渉局はアクセス制限を有するフェムト基地局とすることができ、所望の局はアクセス制限のないピコまたはマクロ基地局とすることができる。ダウンリンク上の干渉抑圧では、送信側局は基地局とすることができ、干渉局は基地局によるサービスを受けない第１のＵＥとすることができ、所望の局は基地局によるサービスを受ける第２のＵＥとすることができる。また、送信側局、干渉局、および所望の局は、無線ネットワーク内の他の局とすることもできる。
【００６９】
図８に、干渉低減要求を受け取る装置８００の一設計を示す。装置８００は、送信側局から、所望の局によって制御チャネルに使用される無線リソースに対する干渉を低減するよう求める要求を受け取るモジュール８１２と、所望の局からの制御チャネルに対する干渉を低減するために無線リソース上の干渉局の送信電力を低減するモジュール８１４とを含む。
【００７０】
図６および図８の各モジュールは、プロセッサ、電子機器、ハードウェア機器、電子構成部品、論理回路、メモリ、ソフトウェアコード、ファームウェアコードなど、またはこれらの任意の組み合わせを備えることができる。
【００７１】
図９に、図１の基地局／ｅＮＢの１つおよびＵＥの１つとすることのできる、基地局／ｅＮＢ１１０とＵＥ１２０の一設計のブロック図を示す。この設計では、基地局１１０は、９３４ａから９３４ｔまでのＴ個のアンテナを備えており、ＵＥ１２０は、９５２ａから９５２ｒまでのＲ個のアンテナを備えており、一般にＴ≧１、Ｒ≧１である。
【００７２】
基地局１１０において、送信プロセッサ９２０は、データソース９１２から１つまたは複数のＵＥのためのデータを受け取ることができ、このデータを処理（符号化、インターリーブ、変調など）することができ、データ記号を提供することができる。また、送信プロセッサ９２０は、コントローラ／プロセッサ９４０から制御チャネルのための情報と、おそらくは干渉低減要求も受け取ることができ、この情報を処理することができ、制御記号を提供することができる。送信（ＴＸ）多入力多出力（ＭＩＭＯ）プロセッサ９３０は、もし適用可能なら、データ記号、制御記号、および／またはパイロット記号に空間処理（プリコーディングなど）を行うことができ、Ｔ個の出力記号ストリームをＴ個の変調器（ＭＯＤ）９３２ａ〜９３２ｔに提供することができる。各変調器９３２は、（例えばＯＦＤＭなどの）個々の出力記号ストリームを処理して出力サンプルストリームを獲得することができる。各変調器９３２は、出力サンプルストリームをさらに処理（アナログ変換、増幅、フィルタリング、アップコンバートなど）して、ダウンリンク信号を獲得することができる。変調器９３２ａ〜９３２ｔからのＴ個のダウンリンク信号は、それぞれ、Ｔ個のアンテナ９３４ａ〜９３４ｔを介して送信することができる。
【００７３】
ＵＥ１２０において、アンテナ９５２ａ〜９５２ｒは、基地局１１０からダウンリンク信号を受信することができ、受信信号を、それぞれ、復調器（ＤＥＭＯＤ）９５４ａ〜９５４ｒに提供することができる。各復調器９５４は、個々の受信信号を調整（フィルタリング、増幅、ダウンコンバート、ディジタル化など）して受信サンプルを獲得することができる。各復調器９５４は、（ＯＦＤＭなどの）受信サンプルをさらに処理して受信記号を獲得することができる。ＭＩＭＯ検出器９５６は、Ｒ個のすべての復調器９５４ａ〜９５４ｒから受信記号を獲得することができ、もし適用可能なら受信記号に対してＭＩＭＯ検出を行うことができ、検出記号を提供することができる。受信プロセッサ９５８は、検出記号を処理（復調、デインターリーブ、復号など）することができ、ＵＥ１２０のための復号データをデータシンク９６０に提供することができ、制御チャネルのための復号情報および干渉低減要求をコントローラ／プロセッサ９８０に提供することができる。
【００７４】
アップリンク上では、ＵＥ１２０において、送信プロセッサ９６４が、データソース９６２からのデータと、コントローラ／プロセッサ９８０からの制御チャネルのための情報と、おそらくは干渉低減要求とを受け取り、処理することができる。送信プロセッサ９６４からの記号は、適用可能な場合にはＴＸ  ＭＩＭＯプロセッサ９６６によってプリコードすることができ、変調器９５４ａ〜９５４ｒによってさらに処理することができ、基地局１１０に送信することができる。基地局１１０において、ＵＥ１２０からのアップリンク信号は、アンテナ９３４によって受信することができ、復調器９３２によって処理することができ、適用可能な場合にはＭＩＭＯ検出器９３６によって検出することができ、受信プロセッサ９３８によってさらに処理することができ、これによりＵＥ１２０によって送信されたデータおよび情報が獲得される。
【００７５】
コントローラ／プロセッサ９４０と９８０は、それぞれ、基地局１１０とＵＥ１２０における動作を指図することができる。基地局１１０のプロセッサ９４０および／または他のプロセッサおよびモジュールは、アップリンクに対する干渉を低減するよう要求する図５のプロセス５００、ダウンリンクに対する干渉を低減する図７のプロセス７００、および／または本明細書で示す技法のための他のプロセスを行い、または指図することができる。ＵＥ１２０のプロセッサ９８０および／または他のプロセッサおよびモジュールは、ダウンリンクに対する干渉を低減するよう要求する図５のプロセス、アップリンクに対する干渉を低減する図７のプロセス７００、および／または本明細書で示す技法のための他のプロセスを行い、または指図することができる。メモリ９４２および９８２は、それぞれ、基地局１１０とＵＥ１２０のためのデータおよびプログラムコードを記憶することができる。スケジューラ９４４は、ダウンリンクおよびアップリンク上のデータ伝送のためにＵＥをスケジュールすることができ、スケジュールされたＵＥのためにリソース許諾を与えることができる。
【００７６】
当業者は、情報および信号は、多種多様な技術および技法のいずれかを使用して表され得ることを理解するはずである。例えば、以上の説明において言及され得るデータ、命令、コマンド、情報、信号、ビット、記号、およびチップは、電圧、電流、電磁波、磁界または、磁性粒子、光場または光粒子、あるいはこれらの任意の組み合わせによって表されてもよい。
【００７７】
当業者はさらに、本開示と関連して示す様々な例示的論理ブロック、モジュール、回路、およびアルゴリズムステップは、電子ハードウェア、コンピュータソフトウェア、またはこれらの組み合わせとして実施され得ることも理解するはずである。このハードウェアとソフトウェアの互換性を明確に示すために、以上では、様々な例示的構成部分、ブロック、モジュール、回路、およびステップを、一般的にこれらの機能の観点から説明している。このような機能がハードウェアとして実施されるか、それともソフトウェアとして実施されるかは、個々の用途およびシステム全体に課される設計制約条件に左右される。当業者は、前述の機能を、個別用途ごとに様々なやり方で実施し得るが、このような実施上の判断は、本開示の範囲からの逸脱を生じるものと解釈すべきではない。
【００７８】
本開示と関連して示す様々な例示的論理ブロック、モジュール、および回路は、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）または他のプログラマブル論理回路、ディスクリートゲートまたはトランジスタ論理、ディスクリートハードウェア部品、あるいは本明細書で示す各機能を果たすように設計されたこれらの任意の組み合わせを用いて実施され、または実行され得る。汎用プロセッサはマイクロプロセッサとすることができるが、代替として、このプロセッサは、任意の従来のプロセッサ、コントローラ、マイクロコントローラ、または状態機械とすることもできる。また、プロセッサは、ＤＳＰとマイクロプロセッサの組み合わせ、複数のマイクロプロセッサ、ＤＳＰコアと併用された１つまたは複数のマイクロプロセッサ、あるいは他の任意のこのような構成など、コンピューティングデバイスの組み合わせとしても実施され得る。
【００７９】
本開示と関連して示す方法またはアルゴリズムの各ステップは、直接ハードウェアとして実施されても、プロセッサによって実行されるソフトウェアモジュールとして実施されても、これらの組み合わせとして実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当分野で公知の他の任意の形の記憶媒体に置かれていてもよい。例示的記憶媒体は、プロセッサがこの記憶媒体から情報を読み取り、この記憶媒体に情報を書き込むことができるように、プロセッサに結合される。代替として、記憶媒体は、プロセッサに内蔵されていてもよい。プロセッサおよび記憶媒体はＡＳＩＣに置かれていてもよい。ＡＳＩＣは、ユーザ端末に置かれていてもよい。代替として、プロセッサおよび記憶媒体は、ユーザ端末にディスクリート部品として置かれていてもよい。
【００８０】
１つまたは複数の例示的設計において、前述の各機能は、ハードウェア、ソフトウェア、ファームウェア、またはこれらの任意の組み合わせとして実施され得る。ソフトウェアとして実施される場合、各機能は、１つまたは複数の命令またはコードとしてコンピュータ可読媒体上に記憶され、またはコンピュータ可読媒体を介して伝送され得る。コンピュータ可読媒体には、コンピュータ記憶媒体と通信媒体の両方が含まれ、ある場所から別の場所へのコンピュータプログラムの移送を容易にする任意の媒体が含まれる。記憶媒体は、汎用または専用コンピュータがアクセスすることのできる任意の利用可能な媒体とすることができる。例を挙げると、それだけに限らないが、このようなコンピュータ可読媒体には、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは、所望のプログラムコードを、命令またはデータ構造として運搬または記憶するのに使用することができ、汎用もしくは専用コンピュータ、または汎用もしくは専用プロセッサがアクセスすることのできる他の任意の媒体が含まれ得る。また、あらゆる接続も当然ながらコンピュータ可読媒体と呼ばれる。例えば、ソフトウェアが、ウェブサイト、サーバ、または他のリモートソースから、同軸ケーブル、光ファイバケーブル、対より線、ディジタル加入者線（ＤＳＬ）、または赤外線、電波、マイクロ波といった無線技術を使用して送信される場合、同軸ケーブル、光ファイバケーブル、対より線、ＤＳＬ、または赤外線、電波、マイクロ波といった無線技術は、媒体の定義に含まれる。ｄｉｓｋおよびｄｉｓｃは、本明細書で使用する場合、コンパクトディスク（ＣＤ）、レーザディスク、光ディスク、ディジタル多用途ディスク（ＤＶＤ）、フロッピー（登録商標）ディスクおよびブルーレイディスクを含むもので、ｄｉｓｋは通常データを磁気的に再現し、ｄｉｓｃはレーザを用いてデータを光学的に再現する。また、上記の組み合わさったものも、コンピュータ可読媒体の範囲内に含めるべきである。
【００８１】
本開示の以上の説明は、当業者が本開示を実施し、または使用することを可能にするために示すものである。当業者には、本開示に対する様々な改変が容易に理解されるはずであり、本明細書で定義する一般原理は、本開示の趣旨および範囲を逸脱することなく他の変形例にも適用され得る。よって、本開示は、本明細書に示す例および設計だけに限定すべきものではなく、本開示には、本明細書に開示する原理および新規の特徴との整合性を有する最大限の範囲が与えられるべきである。
【図１】
2014099892.tif 000003
【図２Ａ】
2014099892.tif 000004
【図２Ｂ】
2014099892.tif 000005
【図３】
2014099892.tif 000006
【図４】
2014099892.tif 000007
【図５】
2014099892.tif 000008
【図６】
2014099892.tif 000009
【図７】
2014099892.tif 000010
【図８】
2014099892.tif 000011
【図９】
2014099892.tif 000012
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
干渉ユーザ機器（ＵＥ）において、基地局によって使用されるアップリンク無線リソース上の干渉を低減するよう求める要求を受け取ることと、
干渉を低減するために前記アップリンク無線リソース上の前記干渉ＵＥの送信電力を低減することと、
を備える無線通信の方法。
【請求項２】
前記要求は、前記基地局によってアップリンク制御チャネルに使用されるアップリンク無線リソース上の干渉を低減するよう求める要求である、請求項１に記載の方法。
【請求項３】
前記要求は、前記アップリンク制御チャネルを介して前記基地局と通信しようとする他のＵＥから受信される、請求項２に記載の方法。
【請求項４】
前記送信電力を低減することは、
前記要求の送信電力レベルと受信電力レベルに基づいて前記他のＵＥから前記干渉ＵＥまでの伝搬損を決定することと、
前記伝搬損と前記アップリンク無線リソースの目標干渉レベルに基づいて、前記アップリンク無線リソースでの前記干渉ＵＥの送信電力を決定することと、
を備える請求項３に記載の方法。
【請求項５】
前記送信電力を低減することは、前記アップリンク無線リソース上の前記干渉ＵＥの送信電力をより低いレベルまたはゼロに低減することを備える、請求項１に記載の方法。
【請求項６】
前記送信電力を低減することは、前記アップリンク無線リソース上の前記干渉ＵＥからの伝送を前記基地局から離れる方向に向けることを備える、請求項１に記載の方法。
【請求項７】
前記送信電力を低減することは、前記アップリンク無線リソース上の前記干渉ＵＥの前記送信電力を、所定の持続期間、前記要求によって指示される持続期間、または前記要求の少なくとも１つのパラメータに基づいて決定される持続期間にわたって低減することを備える、請求項１に記載の方法。
【請求項８】
前記基地局によって使用される前記アップリンク無線リソースを、ホッピングパターンと前記基地局の識別情報に基づいて決定することをさらに備える、請求項１に記載の方法。
【請求項９】
前記干渉ＵＥは、前記基地局によるサービスを受けず、前記他のＵＥは、前記基地局によるサービスを受ける、請求項１に記載の方法。
【請求項１０】
干渉ユーザ機器（ＵＥ）において、基地局によって使用されるアップリンク無線リソース上の干渉を低減するよう求める要求を受け取るための手段と、
干渉を低減するために前記アップリンク無線リソース上の前記干渉ＵＥの送信電力を低減するための手段と、
を備える無線通信の装置。
【請求項１１】
前記要求は、前記基地局によってアップリンク制御チャネルに使用されるアップリンク無線リソース上の干渉を低減するよう求める要求である、請求項１０に記載の装置。
【請求項１２】
前記要求は、前記アップリンク制御チャネルを介して前記基地局と通信しようとする他のＵＥから受信される、請求項１１に記載の装置。
【請求項１３】
前記送信電力を低減するための手段は、
前記要求の送信電力レベルと受信電力レベルに基づいて前記他のＵＥから前記干渉ＵＥまでの伝搬損を決定するための手段と、
前記伝搬損と前記アップリンク無線リソースの目標干渉レベルに基づいて、前記アップリンク無線リソースでの前記干渉ＵＥの送信電力を決定するための手段と、
を備える請求項１２に記載の装置。
【請求項１４】
前記送信電力を低減するための手段は、
前記アップリンク無線リソース上の前記干渉ＵＥの送信電力をより低いレベルまたはゼロに低減するための手段、または、
前記アップリンク無線リソース上の前記干渉ＵＥからの伝送を前記基地局から離れる方向に向けるための手段、のうちの１以上を備える、
請求項１０に記載の装置。
【請求項１５】
実行されるときに、請求項１から９の任意の組み合わせのステップをコンピュータプロセッサに実行させるコードを記憶するコンピュータ可読記憶媒体。
【手続補正２】
【補正対象書類名】明細書
【補正対象項目名】００８１
【補正方法】変更
【補正の内容】
【００８１】
本開示の以上の説明は、当業者が本開示を実施し、または使用することを可能にするために示すものである。当業者には、本開示に対する様々な改変が容易に理解されるはずであり、本明細書で定義する一般原理は、本開示の趣旨および範囲を逸脱することなく他の変形例にも適用され得る。よって、本開示は、本明細書に示す例および設計だけに限定すべきものではなく、本開示には、本明細書に開示する原理および新規の特徴との整合性を有する最大限の範囲が与えられるべきである。
以下、本願の出願当初の特許請求の範囲に記載の発明を付記する。  
［１］  所望の局によって制御チャネルに使用される無線リソースに対する干渉を低減するよう求める要求を生成することと、
前記要求を干渉局に送ることと、
前記所望の局から前記無線リソース上で前記制御チャネルを受信することと、
を備える無線通信の方法。
［２］  前記所望の局によって前記制御チャネルに使用される前記無線リソースに対する高い干渉を検出すること
をさらに備え、
前記要求は、前記無線リソースに対する高い干渉を検出したことに応答して送られる、［１］に記載の方法。
［３］  前記所望の局によって前記制御チャネルに使用される前記無線リソースに対する高い干渉を生じさせる前記干渉局を識別すること
をさらに備え、
前記要求は前記干渉局にユニキャストメッセージとして送られる、［１］に記載の方法。
［４］  前記要求は、前記干渉局および前記要求の受信範囲内の他の干渉局にブロードキャストメッセージとして送られる、［１］に記載の方法。
［５］  前記干渉局によって送られる低繰返しパイロット（ＬＲＰ）または同期信号に基づいて前記干渉局を検出することをさらに備える、［１］に記載の方法。
［６］  データ送信での干渉抑圧のために前記制御チャネルを介して前記所望の局と通信することをさらに備える、［１］に記載の方法。
［７］  前記要求はユーザ機器（ＵＥ）によって送られ、前記干渉局は第１の送信電力レベルを有するマクロ基地局であり、前記所望の局は、前記第１の送信電力レベルより低い第２の送信電力レベルを有するピコまたはフェムト基地局である、［１］に記載の方法。
［８］  前記要求はユーザ機器（ＵＥ）によって送られ、前記干渉局はアクセス制限を有するフェムト基地局であり、前記所望の局はアクセス制限のないピコまたはマクロ基地局である、［１］に記載の方法。
［９］  前記要求は基地局によって送られ、前記干渉局は、前記基地局によるサービスを受けない第１のユーザ機器（ＵＥ）であり、前記所望の局は、前記基地局によるサービスを受ける第２のＵＥである、［１］に記載の方法。
［１０］  前記要求を生成することは、前記要求の送信電力レベル、前記制御チャネルに使用される前記無線リソースの目標干渉レベル、前記干渉局の識別情報、前記所望の局の識別情報、前記制御チャネルまたは前記無線リソースを識別する情報、前記要求が有効とされる持続期間、前記要求の優先順位のうちの少なくとも１つを含む前記要求を生成することを備える、［１］に記載の方法。
［１１］  前記要求を生成することは、
前記要求の巡回冗長検査（ＣＲＣ）を生成することと、
前記要求を受け取る際に誤りを検出するために前記干渉局によって使用される前記ＣＲＣを前記要求に添付することと、
を備える［１］に記載の方法。
［１２］  前記要求を送ることは、前記干渉局による前記要求の受信を改善するために前記要求を複数回送ることを備える、［１］に記載の方法。
［１３］  前記要求を複数回送ることは、前記干渉局による前記要求の受信をさらに改善するために毎回より高い送信電力で前記要求を送ることを備える、［１２］に記載の方法。
［１４］  前記要求を送ることは、前記要求を、レイヤ３シグナリングを介して送ることを備える、［１］に記載の方法。
［１５］  前記要求はユーザ機器（ＵＥ）によって初期アクセス時に送られ、前記制御チャネルは前記ＵＥのためのアクセス許諾を搬送する、［１］に記載の方法。
［１６］  前記要求はアイドルモードで動作するユーザ機器（ＵＥ）によって送られ、前記制御チャネルは、無線呼出しチャネルとシステム情報を搬送する報知チャネルの少なくとも１つを備える、［１］に記載の方法。
［１７］  前記要求は、前記ＵＥによって、ユーザ機器（ＵＥ）のハンドオーバ時または接続モードの動作時に送られる、［１］に記載の方法。
［１８］  前記干渉局に、前記無線リソースに対する干渉の低減を延長するよう求める第２の要求を送ることをさらに備える、［１］に記載の方法。
［１９］  所望の局によって制御チャネルに使用される無線リソースに対する干渉を低減するよう求める要求を生成し、前記要求を干渉局に送り、前記所望の局から前記無線リソースで前記制御チャネルを受信するように構成された少なくとも１つのプロセッサを備える、無線通信の装置。
［２０］  前記少なくとも１つのプロセッサは、前記所望の局によって前記制御チャネルに使用される前記無線リソースに対する高い干渉を検出し、前記無線リソースに対する高い干渉を検出したことに応答して前記要求を送るように構成されている、［１９］に記載の装置。
［２１］  前記少なくとも１つのプロセッサは、データ送信での干渉抑圧のために前記制御チャネルを介して前記所望の局と通信するように構成されている、［１９］に記載の装置。
［２２］  所望の局によって制御チャネルに使用される無線リソースに対する干渉を低減するよう求める要求を生成する手段と、
前記要求を干渉局に送る手段と、
前記所望の局から前記無線リソース上で前記制御チャネルを受信する手段と、
を備える無線通信の装置。
［２３］  前記所望の局によって前記制御チャネルに使用される前記無線リソースに対する高い干渉を検出する手段をさらに備え、
前記要求は高い干渉を検出したことに応答して送られる、請求項２２に記載の装置。
［２４］  データ送信での干渉抑圧のために前記制御チャネルを介して前記所望の局と通信する手段をさらに備える、［２２］に記載の装置。
［２５］  少なくとも１台のコンピュータに、所望の局によって制御チャネルに使用される無線リソースに対する干渉を低減するよう求める要求を生成させるコードと、
前記少なくとも１台のコンピュータに、前記要求を干渉局に送らせるコードと、
前記少なくとも１台のコンピュータに、前記所望の局から前記無線リソースで前記制御チャネルを受信させるコードと、
を備えるコンピュータ可読媒体
を備えたコンピュータプログラム製品。
［２６］  送信側局から、所望の局によって制御チャネルに使用される無線リソースに対する干渉を低減するよう求める要求を受け取ることと、
前記所望の局からの前記制御チャネルに対する干渉を低減するために前記無線リソース上の干渉局の送信電力を低減することと、
を備える無線通信の方法。
［２７］  前記送信電力を低減することは、前記無線リソース上の前記干渉局の送信電力をより低いレベルまたはゼロに低減することを備える、［２６］に記載の方法。
［２８］  前記送信電力を低減することは、
前記要求の送信電力レベルと受信電力レベルに基づいて前記送信側局から前記干渉局までの伝搬損を求めることと、
前記伝搬損と前記無線リソースの目標干渉レベルに基づいて、前記無線リソースでの前記干渉局の送信電力を決定することと、
を備える［２６］に記載の方法。
［２９］  前記送信電力を低減することは、前記無線リソース上の前記干渉局からの伝送を前記送信側局から離れる方向に向けることを備える、［２６］に記載の方法。
［３０］  前記送信電力を低減することは、前記無線リソース上の前記干渉局の前記送信電力を、所定の持続期間、前記要求によって指示される持続期間、または前記要求の少なくとも１つのパラメータに基づいて決定される持続期間にわたって低減することを備える、［２６］に記載の方法。
［３１］  前記所望の局によって前記制御チャネルに使用される前記無線リソースを、ホッピングパターンと前記所望の局の識別情報に基づいて決定することをさらに備える、［２６］に記載の方法。
［３２］  前記送信側局はユーザ機器（ＵＥ）であり、前記干渉局は第１の送信電力レベルを有するマクロ基地局であり、前記所望の局は、前記第１の送信電力レベルより低い第２の送信電力レベルを有するピコまたはフェムト基地局である、［２６］に記載の方法。
［３３］  前記送信側局はユーザ機器（ＵＥ）であり、前記干渉局はアクセス制限を有するフェムト基地局であり、前記所望の局はアクセス制限のないピコまたはマクロ基地局である、［２６］に記載の方法。
［３４］  前記送信側局は基地局であり、前記干渉局は、前記基地局によるサービスを受けない第１のユーザ機器（ＵＥ）であり、前記所望の局は、前記基地局によるサービスを受ける第２のＵＥである、［２６］に記載の方法。
［３５］  送信側局から、所望の局によって制御チャネルに使用される無線リソースに対する干渉を低減するよう求める要求を受け取り、前記所望の局からの前記制御チャネルに対する干渉を低減するために前記無線リソース上の干渉局の送信電力を低減するように構成された少なくとも１つのプロセッサを備える、無線通信の装置。
［３６］  前記少なくとも１つのプロセッサは、前記要求の送信電力レベルと受信電力レベルに基づいて前記送信側局から前記干渉局までの伝搬損を求め、前記伝搬損と前記無線リソースの目標干渉レベルに基づいて、前記無線リソースでの前記干渉局の送信電力を決定するように構成されている、［３５］に記載の装置。
［３７］  前記少なくとも１つのプロセッサは、前記無線リソース上の前記干渉局の前記送信電力を、所定の持続期間、前記要求によって指示される持続期間、または前記要求の少なくとも１つのパラメータに基づいて決定される持続期間にわたって低減するように構成されている、［３５］に記載の装置。
【外国語明細書】
2014099892000001.pdf